(57)【要約】      （修正有）【課題】熱気の発散による水気の除去に使われ、暖房効率を向上させることができる電熱ガラスの提供。【解決手段】一種の電熱ガラスであり、二枚のガラス層１０、二枚のフィルム２０及び一枚の電熱シート３０を含めている。そのうち、当該電熱シートはガラス層の間に挟まれ、しかも、電熱シートの両側はフィルムを介して接着剤でガラス層と接着されている。この通りに、電熱ガラスを構成する。電熱シートはベースシート３２及び導電膜３４を含めている。その内、ベースシートは透明性が優れた材質であり、当該導電膜はこのベースシートの表面にある。当該導電膜はインジウム−スズの酸化物によって構成された透明の薄膜である。導電膜の両端にはそれぞれに導電材料で構成された接続部３６が設けられ、接続回線の連結に使われる。これで、電流が導電膜を通過でき、熱エネルギーを生成することができるので、水気の除去効率及び使用の便利さの向上が図れる。【選択図】図１
0003130707.tif 000002
【実用新案登録請求の範囲】
【請求項１】
二枚のガラス層、二枚のフィルム及び一枚の電熱シートを含め、そのうち、当該電熱シートは各ガラスの間に挟まれ、電熱シートの両側でそれぞれのフィルムを介して接着剤でガラス層と接着されて電熱ガラスを構成する、
当該電熱シートはベースシートと導電膜が含まれ、そのうち、当該ベースシートは透明性が優れたシート材料であり、当該導電膜がベースシートの表面に設けられ、且つ当該導電膜はインジウム−スズの酸化物によって構成された透明の薄膜であり、当該導電膜の両端には導電材料が構成した接続部が設けられ、接続回線の接続に使われ、これにより、電流が導電膜を通過すれば、熱エネルギーが生成されるため、水気除去の効率及び使用の便利さを向上することができることを特徴とする電熱ガラス。
【請求項２】
当該接続部は線状の導電薄片であり、しかも各接続部は互いに対応して平行しており、電流が導電膜を通過するように導くことができることを特徴とする請求項１記載の電熱ガラス。
【請求項３】
当該ベースシートは断熱性が優れる透明材料によって構成され、導電膜によって生成された熱エネルギーが電熱ガラスの他側へ伝送することを止めさせることにより、電熱効率を向上させることを特徴とする請求項１記載の電熱ガラス。
【請求項４】
当該電熱シートには二枚の導電膜を有しており、各導電膜はベースシートの両側の表面に設けられ、導電シートの両側の温度を上げて発熱をさせることを特徴とする請求項１記載の電熱ガラス。
【考案の詳細な説明】
【技術分野】
【０００１】
本考案はガラスに係わるものであり、詳しく言えば、一種の電熱ガラスを指し、内部には透明な電熱シートが挟まれ、熱気の発散による水気の除去に使われ、暖房効率を向上させることができる。
【背景技術】
【０００２】
寒い冬や雨季に、室外環境と自動車内部との温度差や湿度などの原因で、空気中の水分子は自動車ガラスの表面に凝結して水気を形成し、運転者の視線を妨げて運転時の安全を影響してしまうことがある。このような水気を除去するために、自動車のフロントガラスに貼り付けられる薄型電熱シート（デミスターとも言われている）の考案ができた。
【０００３】
前述の薄型電熱シートは柔らかい透明プラスチックシートを基板としている。基板の表面に、銅合金がまき回して形成した連続型回路を利用することにより、電流が銅の回路を通過すれば、抵抗を介して熱エネルギーが生成される。このような電熱シートは基板が透明で柔らかいので、自動車のフロントガラスなどのような円弧状の表面をもつ物体に貼り付けることができる。通電すれば、発熱の特性でフロントガラスに付着していた水気を速やかに蒸発させることができるので、水分子がフロントガラスに残って運転者の視線妨害になることが避けられる。
【０００４】
自動車運転の安全を考えれば、自動車フロントガラスには透明性が高く求められるが、従来の薄型電熱シートは銅の金属回線で基板を形成しているため、透視することはできない。運転者の視線妨害を抑止するために、運転者が車外を見れるように、それらの金属回線の密度は低く、相隣の回線間の距離は大きくされている。また、金属回線は温度が高すぎれば、基板の構造は変化して白くなるし、フロントガラスは温度差が激しい時には亀裂が生じる。そのため、通常のデミスターは低温発熱で水気の除去をする。しかし、発熱の金属回線の分布密度は低いので、効果は限られている。
【０００５】
このような欠点に鑑み、本考案者は考案と研究開発を積極的に取り組んできた結果、産業に利用できる本考案ができた。
【考案の開示】
【考案が解決しようとする課題】
【０００６】
本考案の目的は一種の電熱ガラスを提供し、二枚のガラス層の間に透明な電熱シートを挟み、水気の除去効率と使用の便利さを向上させることにある。
【０００７】
本考案は一種の電熱ガラスであり、二枚のガラス層、二枚のフィルム及び一枚の電熱シートを含めている。そのうち、電熱シートはそれぞれのガラスに挟まれ、電熱シートの両側はそれぞれに各種のフィルムを介して接着剤でガラス層と接着して電熱ガラスを構成する。
【０００８】
電熱シートはベースシートと導電膜を含めている。そのうち、ベースシートは透明性が優れたシート材料であり、当該導電膜はベースシートの表面にある。且つ当該導電膜はインジウム−スズの酸化物によって構成された透明薄膜であり、導電膜の両端はそれぞれに導電材料で構成された接続部が設けられ、接続回線の接続に使われる。電流が導電膜を通過すれば、熱エネルギーが生成されるので、水気除去の効率と使用の便利さが向上できるする。
【課題を解決するための手段】
【０００９】
請求項１の考案は、二枚のガラス層、二枚のフィルム及び一枚の電熱シートを含め、そのうち、当該電熱シートは各ガラスの間に挟まれ、電熱シートの両側でそれぞれのフィルムを介して接着剤でガラス層と接着されて電熱ガラスを構成する、
当該電熱シートはベースシートと導電膜が含まれ、そのうち、当該ベースシートは透明性が優れたシート材料であり、当該導電膜がベースシートの表面に設けられ、且つ当該導電膜はインジウム−スズの酸化物によって構成された透明の薄膜であり、当該導電膜の両端には導電材料が構成した接続部が設けられ、接続回線の接続に使われ、これにより、電流が導電膜を通過すれば、熱エネルギーが生成されるため、水気除去の効率及び使用の便利さを向上することができることを特徴とする電熱ガラスとしている。
請求項２の考案は、当該接続部は線状の導電薄片であり、しかも各接続部は互いに対応して平行しており、電流が導電膜を通過するように導くことができることを特徴とする請求項１記載の電熱ガラスとしている。
請求項３の考案は、当該ベースシートは断熱性が優れる透明材料によって構成され、導電膜によって生成された熱エネルギーが電熱ガラスの他側へ伝送することを止めさせることにより、電熱効率を向上させることを特徴とする請求項１記載の電熱ガラスとしている。
請求項４の考案は、当該電熱シートには二枚の導電膜を有しており、各導電膜はベースシートの両側の表面に設けられ、導電シートの両側の温度を上げて発熱をさせることを特徴とする請求項１記載の電熱ガラスとしている。
【考案の効果】
【００１０】
本考案は一種の電熱ガラスを提供し、二枚のガラス層の間に透明な電熱シートを挟み、水気の除去効率と使用の便利さを向上させることにある。
【考案を実施するための最良の形態】
【００１１】
図１、図２の本考案の電熱ガラスに関する第一実施例を参照することそれは二枚のガラス層（１０）、二枚のフィルム（２０）及び電熱シート（３０）を含めている。ここで、電熱シート（３０）はガラス層（１０）の間に挟まれ、電熱シート（３０）の両側にはそれぞれのフィルム（２０）を介して接着剤でガラス層（２０）と接着されて電熱ガラスを構成している。
【００１２】
図３を参照すること。電熱シート（３０）は層状の構造体であり、ベースシート（３２）、導電膜（３４）及び二つの接続部（３６）を含めている。ここで、ベースシート（３２）はガラスやPEなどの透明性が優れるシート材料である。導電膜（３４）はベースシート（３２）の片側の表面に設けられ、導電膜（３４）はインジウム−スズの酸化物（Ｉｎｄｉｕｍ  Ｔｉｎ  Ｏｘｉｄｅ、一般ではＩＴＯと呼んでいる）で構成された透明薄膜である。接続部（３６）はベースシート（３２）の表面に設けられ、銅の材料によって構成された線状の導電薄片である。それぞれの接続部（３６）は導電膜（３４）の両端に設置され、両方の接続部（３６）は互いに対応して平行している。それぞれの接続部（３６）と接続回線（図示では示されていない）とを接続することにより、電流は導電膜（３４）を通過することができ、そして導電シート（３０）は熱エネルギーの生成で温度が高まり、発熱することができる。
【００１３】
本考案の第一実施例は自動車のフロントガラスとして応用される時に、導電膜（３４）の透視性がよく、肉眼では識別しにくいので、運転者の視線妨害にはならない。大幅にフロントガラスに利用できる。電流が導電膜（３４）を通過する時に、導電膜（３４）の抵抗で電気エネルギーが熱エネルギーに変えられれば、フロントガラスの温度は速やかに均衡的に上がるため、ガラス表面の水気を即時に除去できる。その水気の除去効果は優れるし、熱エネルギーの伝送にはエネルギーを消耗しないので、高エネルギーの利用効果が向上できる。これで、水気の除去効率と使用の便利さを促進することができる。また、本考案の第一実施例もバスルームの化粧鏡、TFTディスプレイの表面ガラスにも応用できる。バスルームの化粧鏡に応用する時は、水蒸気が形成した水気を速やかに除去することができる。TFTディスプレイの表面ガラスに応用する時は、TFTディスプレイは気候の寒いエリアでの使用には、ディスプレイ画面の明白度を維持するように、有効に水気の付着、凝結を防ぐことができる。
【００１４】
また、第一実施例のベースシート（３２）は断熱性の優れる透明材料を利用することができるので、当実施例を変化して行うことができる。ベースシート（３２）の断熱性を利用することにより、導電膜（３４）によって生成された熱エネルギーが電熱ガラスの他側への伝送を止めさせ、電熱効率を向上させることができる。
【００１５】
前述の第一実施例はさらに第二実施例に変化でき、この両者の同じ部分は重複して説明しない。図４を参照すること。本考案の第二実施例の電熱シート（３０’）はベースシート（３２’）、２つの導電膜（３４’）および４つの接続部（図に示されていない）を有し、そのうち、当該各導電膜（３４’）は別々に当該ベースシート（３２’）の両側の表面に設けられ、当該各導電膜（３４’）の両端を別々に接続部と接続する。これによって、当該各導電膜（３４’）に電流が通過し、当該導電シート（３０’）の両側は温度が上昇して熱が出る。
【００１６】
以上をまとめると、本考案は今までにない構成及び空間ので形態であり、期待された目的を満足することができるし、効果も優れている。
【図面の簡単な説明】
【００１７】
【図１】本考案の第一実施例の立体分解図である。
【図２】本考案の第一実施例の部分の拡大断面である。
【図３】本考案の第一実施例の電熱シートの平面図である。
【図４】本考案の第二実施例の部分の拡大断面図である。
【符号の説明】
【００１８】
１０  ガラス層
２０  フィルム
３０、３０’  電熱シート
３２、３２’  ベースシート
３４、３４’  導電膜
３６  接続部
【図１】
0003130707.tif 000003
【図２】
0003130707.tif 000004
【図３】
0003130707.tif 000005
【図４】
0003130707.tif 000006